(57)【要約】【課題】シートどうしを剥離可能に貼着することによりシートに付与された情報を隠蔽しながらも、シートの貼着面に付与された機械読み取りコードを正確に読み取る。【解決手段】払込票片１０と明細書片２０とがミシン目４０を介して折り畳み可能に連接し、ミシン目４０にて折り畳まれて払込票片１０と明細書片２０とが明細書片２０に塗布された擬似接着剤２によって剥離可能に貼着されることにより、明細書片２０に印字された明細情報２１を隠蔽する隠蔽はがきにおいて、払込票片１０の明細書片２０との貼着面にＥＡＮ１２８コード１４が印字されており、明細書片２０に塗布された擬似接着剤２を、互いに貼着された払込票片１０と明細書片２０とを剥離した場合、明細書片２０上のみに残存するものとする。【選択図】図１
2008068431.tif 000002
【特許請求の範囲】
【請求項１】
第１のシートと第２のシートとが剥離可能な接着構造によって貼着されることにより、前記第１のシート及び前記第２のシートの貼着面に付与された情報を隠蔽する隠蔽シートにおいて、
前記第１のシートは、互いに貼着された前記第２のシートとの貼着面に機械読み取りコードが印字され、
前記接着構造は、前記第１のシートと前記第２のシートとを剥離した場合、前記第２のシート上のみに残存することを特徴とする隠蔽シート。
【請求項２】
配送伝票片、払込票片及び明細書片が連接し、前記払込票片と前記明細書片とが折り部にて折り畳まれて剥離可能な第１の接着構造によって貼着されることにより、前記払込票片及び前記明細書片の貼着面に付与された情報を隠蔽する隠蔽シートにおいて、
前記配送伝票片及び前記払込票片は、前記明細書片との貼着面を含まない面側に、その貼着面とは反対側の面に粘着剤が塗布された貼着用シートが剥離可能な第２の接着構造によって貼着され、かつ、前記払込票片は、前記明細書片との貼着面に機械読み取りコードが印字され、
前記第１の接着構造は、前記払込票片と前記明細書片とを剥離した場合、前記明細書片上のみに残存し、
前記第２の接着構造は、前記払込票片と前記貼着用シートとを剥離した場合、前記貼着用シート上のみに残存することを特徴とする隠蔽シート。
【発明の詳細な説明】
【技術分野】
【０００１】
本発明は、シートに印字された情報を隠蔽する隠蔽シートに関し、特に、貼着後の剥離が可能な接着構造を用いてシートどうしを貼着することにより、シートに印字された情報を隠蔽する隠蔽シートに関する。
【背景技術】
【０００２】
従来より、情報を印字または記入するための情報付与領域が設けられたシートにおいて、情報付与領域に情報を印字または記入した後に、この情報付与領域上に隠蔽片を剥離可能に貼着し、それにより、情報付与領域に印字または記入された情報を隠蔽可能とするものが考えられている。このようなシートの構造としては、例えば、はがきの一方の面に、隠蔽したい情報を記入する情報記入欄を設けるとともに、この情報記入欄が設けられた領域に、圧力により自己のみが貼着可能で、かつ貼着後の剥離が可能な自己貼着性を有する感圧糊を塗布しておき、隠蔽したい情報を記入した後にこの情報記入欄の真ん中から折り畳み、折り畳まれた領域どうしを感圧糊によって貼着するものが考えられている（例えば、特許文献１参照。）。
【０００３】
このはがきを用いて情報を伝達する場合は、はがきの送付先に伝達したい情報を情報記入欄に記入した後、情報記入欄の真ん中から折り畳み、折り畳まれた領域どうしを感圧糊によって貼着し、その状態ではがきを送付先に送付する。これにより、はがきの送付途中においては、情報記入欄に記入された情報は隠蔽されており、外部から見られてしまうことはない。その後、感圧糊によって貼着された部分を剥離すると、情報記入欄に記入された情報が視認可能となる。
【０００４】
このように、圧力により自己のみが貼着可能で、かつ貼着後の剥離が可能な自己貼着性を有する感圧糊を用いた場合、粘着力が弱いことにより貼着後の剥離が可能な粘着剤を用いた場合とは異なり、塗布されたシートの表面がべたつくことがなく、シートに塗布された後であっても情報を印字したり記入したりすることができる。
【特許文献１】実用新案登録第３１１６７４７号公報
【発明の開示】
【発明が解決しようとする課題】
【０００５】
上述したようにシートの貼着面にそれぞれ塗布され、圧力によってシートどうしを貼着する感圧糊を貼着後の剥離が可能な接着構造として用いる場合、剥離後の状態においては、貼着されていた面のそれぞれに糊が存在することになる。
【０００６】
ここで、近年、商品の物流管理や請求管理等の要求に答えるために、ＣＯＤＥ１２８をベースとしてアプリケーションを規格化したＥＡＮ１２８コードというバーコードシンボルが利用され始めている。このＥＡＮ１２８コードは、ＪＡＮコード等の従来のバーコードシンボルに比べ、ＪＡＮコード３段／４段を１段で表現する等、多くの情報を表現するために細密な構造となっており、そのため、読み取り時に精細な読み取り精度が要求される。
【０００７】
ところが、ＥＡＮ１２８コード等のように高い読み取り精度が要求される機械読み取りコードが印字されたシート上に上述したように糊が存在している場合、存在している糊によって読み取り精度が低下し、機械読み取りコードによって表現される情報を正確に認識することができなくなってしまう虞れがある。
【０００８】
本発明は、上述したような従来の技術が有する問題点に鑑みてなされたものであって、シートどうしを剥離可能に貼着することによりシートに付与された情報を隠蔽しながらも、シートの貼着面に付与された機械読み取りコードを正確に読み取ることができる隠蔽シートを提供することを目的とする。
【課題を解決するための手段】
【０００９】
上記目的を達成するために本発明は、
第１のシートと第２のシートとが剥離可能な接着構造によって貼着されることにより、前記第１のシート及び前記第２のシートの貼着面に付与された情報を隠蔽する隠蔽シートにおいて、
前記第１のシートは、互いに貼着された前記第２のシートとの貼着面に機械読み取りコードが印字され、
前記接着構造は、前記第１のシートと前記第２のシートとを剥離した場合、前記第２のシート上のみに残存することを特徴とする。
【００１０】
上記のように構成された本発明においては、第１のシートと第２のシートとが接着構造によって剥離可能に貼着された状態では、第１のシート及び第２のシートの貼着面に付与された情報が隠蔽されている。その後、第１のシートと第２のシートとを剥離すると、第１のシート及び第２のシートの貼着面に付与された情報が視認可能な状態となる。この際、第１のシートと第２のシートとを貼着していた接着構造が第２のシート上にのみ残存し、第１のシート上には残存しない。そのため、第１のシートの第２のシートとの貼着面に印字された機械読み取りコードに対する読み取り精度が低下することがなく、この機械読み取りコードが、例えばＥＡＮ１２８コード等の高い読み取り精度が要求されるものである場合であっても、正確に読み取ることができる。
【００１１】
また、配送伝票片、払込票片及び明細書片が連接し、前記払込票片と前記明細書片とが折り部にて折り畳まれて剥離可能な第１の接着構造によって貼着されることにより、前記払込票片及び前記明細書片の貼着面に付与された情報を隠蔽する隠蔽シートにおいて、
前記配送伝票片及び前記払込票片は、前記明細書片との貼着面を含まない面側に、その貼着面とは反対側の面に粘着剤が塗布された貼着用シートが剥離可能な第２の接着構造によって貼着され、かつ、前記払込票片は、前記明細書片との貼着面に機械読み取りコードが印字され、
前記第１の接着構造は、前記払込票片と前記明細書片とを剥離した場合、前記明細書片上のみに残存し、
前記第２の接着構造は、前記払込票片と前記貼着用シートとを剥離した場合、前記貼着用シート上のみに残存することを特徴とする。
【００１２】
上記のように構成された本発明においては、互いに連接した配送伝票片、払込票片及び明細書片に情報が同一工程にて付与されることにより、これらの紙片に付与される情報のマッチングミスが生じない。情報が付与された払込票片と明細書片とは折り部にて折り畳まれて剥離可能な第１の接着構造によって互いに貼着される。そして、配送伝票片及び払込票片に貼着された貼着用シートの一方の面に塗布された粘着剤によって配送物に貼着されてこの配送物が配送される。この状態においては、払込票片と明細書片とにそれぞれ付与された情報は隠蔽されている。また、配送伝票片に付与された情報は外部から視認可能となっており、この情報に従って配送物が配送先に配送される。配送物が配送先に配送された後、配送伝票片のうち所定の領域が貼着用シートから剥離され、また、払込票片と明細書片とが剥離される。すると、明細書片の払込票片との貼着面に付与された情報が視認可能な状態となる。この際、払込票片と明細書片とを貼着していた第１の接着構造は、明細書片上にのみ残存し、払込票片上には残存しない。その後、払込票片と明細書片とが互いに分離されるとともに、払込票片が貼着用シートから剥離されて利用される。ここで、払込票片と明細書片とを貼着していた第１の接着構造は、明細書片上にのみ残存し、払込票片上には残存しないため、払込票片の明細書片との貼着面に印字された機械読み取りコードに対する読み取り精度が低下することがなく、この機械読み取りコードが、例えばＥＡＮ１２８コード等の高い読み取り精度が要求されるものである場合であっても、正確に読み取ることができる。また、払込票片と貼着用シートとを剥離した際、これらを貼着していた第２の接着構造が貼着用シート上にのみ残存し、払込票片上には残存しない。そのため、払込票片に印字された機械読み取りコードを読み取るために払込票片が機械読み取り機にかけられる際、ジャム等が発生することを回避することができる。
【００１３】
なお、上述したように、第１のシートや払込票片に印字される機械読み取りコードとしては、ＥＡＮ１２８コードが考えられる。
【発明の効果】
【００１４】
以上説明したように本発明においては、第１のシートと第２のシートとを剥離可能に貼着する接着構造が、互いに貼着された第１のシートと第２のシートとを剥離した場合、第２のシート上のみに残存するものであるため、第１のシートの第２のシートとの貼着面に印字された機械読み取りコードに対する読み取り精度が低下することがなく、この機械読み取りコードが高い読み取り精度が要求されるものである場合であっても、正確に読み取ることができる。
【００１５】
また、互いに連接した配送伝票片、払込票片及び明細書片のうち、払込票片と明細書片にそれぞれ付与された情報を隠蔽するためにこれらを剥離可能に貼着する第１の接着構造が、払込票片と明細書片とを剥離した場合、明細書片上のみに残存するものであるため、払込票片の明細書片との貼着面に印字された機械読み取りコードに対する読み取り精度が低下することがなく、この機械読み取りコードが高い読み取り精度が要求されるものである場合であっても、正確に読み取ることができる。また、払込票片と貼着用シートとを貼着していた第２の接着構造が、これらを剥離した場合に貼着用シート上にのみに残存するものであるため、払込票片に印字された機械読み取りコードを読み取るために払込票片が機械読み取り機にかけられる際、ジャム等が発生することを回避することができる。
【発明を実施するための最良の形態】
【００１６】
以下に、本発明の実施の形態について図面を参照して説明する。
【００１７】
（第１の実施の形態）
図１は、本発明の隠蔽シートの第１の実施の形態となる隠蔽はがきの構成例を示す図であり、（ａ）は貼着面の構成を示す図、（ｂ）は貼着面とは反対側の面の構成を示す図、（ｃ）は（ａ）に示したＡ−Ａ’断面図である。
【００１８】
本形態は図１に示すように、第１のシートである払込票片１０と第２のシートである明細書片２０とがミシン目４０を介して折り畳み及び切り離し可能に連接して構成されている。
【００１９】
払込票片１０は、払込取扱票１１と払込受領証１２とがミシン目１５を介して切り離し可能に連接しており、払込取扱票１１には、明細書片２０との貼着面に、払い込む金額や払込人の氏名等の払込情報１３が印字されているとともに、この払込取扱票１１を識別可能な機械読み取りコードであるＥＡＮ１２８コード１４が印字されている。また、払込取扱票１１と払込受領証１２のそれぞれには、払込情報１３によって示される金額の払い込みを受け付けた際に受付印を押下するための押印領域１６ａ，１６ｂが設けられている。
【００２０】
明細書片２０は、払込票片１０との貼着面に、払込情報１３によって払い込みが指示される商品購入やサービスの授受についての利用日、内容及び金額等からなる明細情報２１が印字され、また、それとは反対側の面には、この隠蔽はがきの送付先の住所や氏名等の宛先情報２２が印字されている。
【００２１】
これら払込票片１０と明細書片２０は、上質紙からなるベースシート１によって構成されており、明細書片２０の払込票片１０との貼着面の全面には、圧力により貼着可能で、かつ貼着後の剥離が可能な接着構造となる擬似接着剤２が塗布されている。この擬似接着剤２によって、払込票片１０と明細書片２０とが剥離可能に貼着されることになる。なお、擬似接着剤２としては、例えば、三洋化成工業（株）製のＴＯＭ−２を用いることが考えられる。
【００２２】
以下に、上記のように構成された隠蔽はがきの使用方法について説明する。
【００２３】
図１に示した隠蔽はがきにおいては、まず、払込票片１０の明細書片２０との貼着面に払込情報１３及びＥＡＮ１２８コード１４を印字するとともに、明細書片２０の払込票片１０との貼着面に明細情報２１を印字する。また、明細書片２０のそれとは反対側の面に宛先情報２２を印字する。なお、明細書片２０の明細情報２１が印字される面には擬似接着剤２が塗布されているが、擬似接着剤２はベースシート１に塗布された後でもベースシート１に対して筆記性を持たせることができるものであるため、擬似接着剤２が塗布された状態にて明細書片２０に明細情報２１を印字することができる。また、これら払込情報１３、ＥＡＮ１２８コード１４、明細情報２１及び宛先情報２２は、隠蔽はがきの送付先毎に異なるものであるが、このように、払込情報１３、ＥＡＮ１２８コード１４、明細情報２１及び宛先情報２２を同一工程にて印字することにより、これらの情報のマッチングミスが生じることを回避することができる。なお、払込情報１３、明細情報２１及び宛先情報２２は、上述したように印字により払込票片１０及び明細書片２０に付与するのではなく、記入によって付与してもよい。
【００２４】
その後、ベースシート１を擬似接着剤２が塗布された面が内側となるようにミシン目４０にて折り畳み、圧力をかけることにより、擬似接着剤２によって払込票片１０と明細書片２０とを剥離可能に貼着し、この隠蔽はがきの送付先に送付する。
【００２５】
図２は、図１に示した払込票片１０と明細書片２０とが貼着された状態を示す図であり、（ａ）は明細書片２０側から見た図、（ｂ）は払込票片１０側から見た図、（ｃ）は（ａ）に示したＡ−Ａ’断面図である。
【００２６】
上述したように、隠蔽はがきの送付時においては、ベースシート１が擬似接着剤２が塗布された面が内側となるようにミシン目４０にて折り畳まれ、擬似接着剤２によって払込票片１０と明細書片２０とが貼着された状態となっている。
【００２７】
そのため、図２（ａ）に示すように、隠蔽はがきの一方の面側においては、明細書片２０の宛先情報２２が印字された面が表出し、この宛先情報２２に従って隠蔽はがきが送付先に送付されることになる。また、図２（ｂ）に示すように、隠蔽はがきの他方の面においては、払込票片１０の払込情報１３やＥＡＮ１２８コード１４が印字された面とは反対側の面が表出することになる。
【００２８】
このように、隠蔽はがきの送付時においては、払込票片１０に印字された払込情報１３及びＥＡＮ１２８コード１４、並びに明細書片２０に印字された明細情報２１が表出しない状態となっており、それにより、払込票片１０に印字された払込情報１３及びＥＡＮ１２８コード１４、並びに明細書片２０に印字された明細情報２１が隠蔽された状態で隠蔽はがきが送付先に送付されることになる。
【００２９】
隠蔽はがきが送付先に届けられると、払込票片１０と明細書片２０とが剥離されて見開かれることになる。
【００３０】
図３は、図１に示した隠蔽はがきが見開かれた状態を示す図であり、（ａ）は見開き面を示す図、（ｂ）は（ａ）に示したＡ−Ａ’断面図である。
【００３１】
上述した隠蔽はがきが送付先に届けられると、払込票片１０と明細書片２０とが剥離される。払込票片１０と明細書片２０とを貼着している擬似接着剤２は、上述したように貼着後の剥離が可能なものであるため、互いに貼着された払込票片１０と明細書片２０とを剥離することができる。すると、図３（ａ）に示すように、明細書片２０に印字された明細情報２１が視認可能となり、隠蔽はがきの送付先において、明細情報２１が確認されることになる。
【００３２】
また、隠蔽はがきの送付先においては、払込票片１０と明細書片２０とが切り離され、払込票片１０を用いた払い込みが行われる。払込票片１０を用いた払い込みにおいては、払込情報１３によって示される金額が金融機関等に支払われると、払込取扱票１１及び払込受領証１２にそれぞれ設けられた押印領域１６ａ，１６ｂに受付印が押下され、払込取扱票１１と払込受領証１２とがミシン目１５にて切り離され、払込受領証１２が払込人に渡される。
【００３３】
払込受領証１２から切り離された払込取扱票１１においては、払い込みが行われた金融機関等にてＥＡＮ１２８コード１４が機械読み取りされる。この際、図３（ｃ）に示すように、払込票片１０と明細書片２０とを貼着していた擬似接着剤２が、明細書片２０上のみに残存し、払込票片１０上には残存していないため、ＥＡＮ１２８コード１４といった高い読み取り精度が要求される機械読み取りコードでも、正確に読み取ることができる。
【００３４】
なお、本形態においては、払込票片１０と明細書片２０とがミシン目４０を介して連接した構成を例に挙げて説明したが、払込票片１０と明細書片２０とは、明細書片２０に塗布された擬似接着剤２によって剥離可能に貼着されるものであれば連接していなくてもよい。
【００３５】
（第２の実施の形態）
図４は、本発明の隠蔽シートの第２の実施の形態となる隠蔽機能付き配送伝票の構成例を示す図であり、（ａ）は情報印字面の構成を示す図、（ｂ）は情報印字免とは反対側の面の構成を示す図、（ｃ）は（ａ）に示したＡ−Ａ’断面図である。
【００３６】
本形態は図４に示すように、配送伝票片１３０と払込票片１１０とがスリット１４５を介して分離可能に連接し、払込票片１１０と明細書片１２０とが折り部となるミシン目１４０を介して折り畳み及び切り離し可能に連接して構成されている。
【００３７】
配送伝票片１３０は、配送票１３１、貼付票１３２、明細票１３３及び売上票１３４がスリット１４５にて互いに分離可能に区画形成されて構成されている。配送票１３１及び貼付票１３２には、この隠蔽機能付き配送伝票が貼着されて配送される配送物の配送先の住所や氏名、配送物の品名等の配送情報１３１ａ，１３２ａがそれぞれ印字されているとともに、配送票１３１には、配送物が配送先に届けられた場合に受領印が押下される押印領域１３１ｂが設けられている。
【００３８】
払込票片１１０は、払込取扱票１１１と払込受領証１１２とがミシン目１１５を介して切り離し可能に連接しており、払込取扱票１１１には、明細書片１２０との貼着面に、払い込む金額や払込人の氏名等の払込情報１１３が印字されているとともに、この払込取扱票１１１を識別可能な機械読み取りコードであるＥＡＮ１２８コード１１４が印字されている。また、払込取扱票１１１と払込受領証１１２のそれぞれには、払込情報１１３によって示される金額の払い込みを受け付けた際に受付印を押下するための押印領域１１６ａ，１１６ｂが設けられている。
【００３９】
明細書片１２０は、払込票片１１０との貼着面に、この隠蔽機能付き配送伝票が貼着されて配送される配送物に含まれる商品の出荷日、商品名及び金額等からなる明細情報１２１が印字され、また、それとは反対側の面には、地紋が印刷されてなる地紋印刷層１２３が形成されている。
【００４０】
これら配送伝票片１３０、払込票片１１０及び明細書片１２０は、１枚の上質紙からなる印字用シート１０１によって互いに連接して構成されており、明細書片１２０の払込票片１１０との貼着面の全面には、圧力により貼着可能で、かつ貼着後の剥離が可能な第１の接着構造となる擬似接着剤１０２が塗布されている。この擬似接着剤１０２によって、払込票片１１０と明細書片１２０とが剥離可能に貼着されることになる。また、配送伝票片１３０及び払込票片１１０には、上述したような情報が印字された面とは反対側の面、すなわち、明細書片１２０との貼着面を含まない面に、その貼着面とは反対側の面に粘着剤１０５が塗布されてこの粘着剤１０５によって剥離紙１０６が剥離可能に貼着された貼着用シート１０３が、擬似接着剤１０２及び剥離ニス１０４による第２の接着構造によって剥離可能に貼着されている。なお、擬似接着剤１０２としては、第１の実施の形態にて示したものと同様に、例えば、三洋化成工業（株）製のＴＯＭ−２を用いることが考えられ、また、剥離ニス１０４としては、例えば、（株）Ｔ＆Ｋ  ＴＯＫＡ製のベストキュアーＵＶハクリＯＰニスを用いることが考えられる。
【００４１】
以下に、上記のように構成された隠蔽機能付き配送伝票の使用方法について説明する。
【００４２】
まず、図４に示した隠蔽機能付き配送伝票が貼着された配送物が配送先に届けられるまでの使用方法について説明する。
【００４３】
図４に示した隠蔽機能付き配送伝票においては、まず、印字用シート１０１に対して、配送伝票片１３０に配送情報１３１ａ，１３２ａを印字し、払込票片１１０に払込情報１１３及びＥＡＮ１２８コード１１４を印字し、また、明細書片１２０の払込票片１１０との貼着面に明細情報１２１を印字する。なお、明細書片１２０の明細情報１２１が印字される面には擬似接着剤１０２が塗布されているが、擬似接着剤１０２は印字用シート１０１に塗布された後でも印字用シート１０１に対して筆記性を持たせることができるものであるため、擬似接着剤１０２が塗布された状態にて明細書片１２０に明細情報１２１を印字することができる。また、これら配送情報１３１ａ，１３２ａ、払込情報１１３、ＥＡＮ１２８コード１１４及び明細情報１２１は、この隠蔽機能付き配送伝票が貼着されて配送される配送物の配送先毎に異なるものであるが、このように、配送情報１３１ａ，１３２ａ、払込情報１１３、ＥＡＮ１２８コード１１４及び明細情報１２１を同一工程にて印字することにより、これらの情報のマッチングミスが生じることを回避することができる。なお、配送情報１３１ａ，１３２ａ、払込情報１１３及び明細情報１２１は、上述したように印字により配送伝票片１３０、払込票片１１０及び明細書片１２０に付与するのではなく、記入によって付与してもよい。
【００４４】
次に、印字用シート１０１を擬似接着剤１０２が塗布された面が内側となるようにミシン目１４０にて折り畳み、圧力をかけることにより、擬似接着剤１０２によって払込票片１１０と明細書片１２０とを剥離可能に貼着する。
【００４５】
その後、貼着用シート１０３から剥離紙１０６を剥離し、貼着用シート１０３に塗布された粘着剤１０５によってこの隠蔽機能付き配送伝票を配送物に貼着し、隠蔽機能付き配送伝票が貼着された配送物を配送先に配送する。
【００４６】
図５は、図４に示した払込票片１１０と明細書片１２０とが貼着されて配送物に貼着される状態を示す図であり、（ａ）は表面から見た図、（ｂ）は（ａ）に示したＡ−Ａ’断面図である。
【００４７】
上述したように、隠蔽機能付き配送伝票は、印字用シート１０１が擬似接着剤１０２が塗布された面が内側となるようにミシン目１４０にて折り畳まれ、擬似接着剤１０２によって払込票片１１０と明細書片１２０とが貼着された状態で、配送伝票片１３０及び払込票片１１０の貼着用シート１０３に塗布された粘着剤１０５によって配送物に貼着される。
【００４８】
そのため、図５（ａ）に示すように、配送物に貼着された場合、配送伝票片１３０が表出し、この配送伝票片１３０に印字された配送情報１３１ａ，１３２ａに従って配送物が配送先に配送されることになる。また、払込票片１１０に印字された払込情報１１３及びＥＡＮ１２８コード１１４、並びに明細書片１２０に印字された明細情報１２１は、払込票片１１０と明細書片１２０とが貼着されていることにより外部から視認不可能な状態となっており、明細書片１２０の反対側の面に形成された地紋印刷層１２３によって、透かされた場合であっても視認困難な状態となっている。
【００４９】
これにより、払込票片１１０に印字された払込情報１１３及びＥＡＮ１２８コード１１４、並びに明細書片１２０に印字された明細情報１２１が隠蔽された状態で、配送物が配送先に配送されることになる。
【００５０】
次に、図４に示した隠蔽機能付き配送伝票が貼着された配送物が配送先に届けられた後の使用方法について説明する。
【００５１】
図６は、図４に示した隠蔽機能付き配送伝票の使用方法を説明するための図であり、（ａ）は配送伝票片１３０から配送票１３１及び売上票１３４が分離されていく状態を示す図、（ｂ）は払込票片１１０と明細書片１２０とが見開かれた状態を示す図、（ｃ）は（ｂ）に示したＡ−Ａ’断面図である。また、図７は、図４に示した隠蔽機能付き配送伝票の使用方法を説明するための図であり、（ａ）は明細書片１２０が切り離されていく状態を示す図、（ｂ）は払込票片１１０が分離されていく状態を示す図、（ｃ）は払込票片１１０が分離された状態を示す図、（ｄ）は（ｃ）に示したＡ−Ａ’断面図、（ｅ）は分離された払込票片１１０を示す図、（ｆ）は（ｅ）に示したＢ−Ｂ’断面図である。
【００５２】
図４に示した隠蔽機能付き配送伝票が貼着された配送物が配送先に届けられると、まず、配送伝票片１３０の配送票１３１に設けられた押印領域１３１ｂに受領印が押下される。そして、図６（ａ）に示すように、配送伝票片１３０のうち配送票１３１及び売上票１３４を貼着用シート１０２から剥離し、配送伝票片１３０から配送票１３１及び売上票１３４を分離する。配送票１３１及び売上票１３４は、擬似接着剤１０２及び剥離ニス１０４によって貼着用シート１０２に剥離可能に貼着されており、また、配送票１３１、貼付票１３２、明細票１３３及び売上票１３４がスリット１４５にて互いに分離可能に区画形成されているため、配送伝票片１３０から配送票１３１及び売上票１３４を分離することができる。この際、配送票１３１及び売上票１３４と貼着用シート１０３とを剥離可能に貼着していた擬似接着剤１０２及び剥離ニス１０４は、図６（ｃ）に示すように、全て貼着用シート１０３側に残存することになる。配送伝票片１３０から分離された配送票１３１及び売上票１３４は配送業者にて回収される。
【００５３】
次に、図６（ｂ）に示すように、払込票片１１０と明細書片１２０とを剥離する。払込票片１１０と明細書片１２０とを貼着している擬似接着剤１０２は、上述したように貼着後の剥離が可能なものであるため、互いに貼着された払込票片１１０と明細書片１２０とを剥離することができる。すると、明細書片１２０に印字された明細情報１２１が視認可能となり、配送物の配送先において、明細情報１２１が確認されることになる。これにより、明細情報１２１が印字されたシートを配送物に同封して送付する必要をなくしがらも、配送物の配送途中にて明細情報１２１を隠蔽した状態で明細情報１２１を配送物の配送先に通知することができる。なおこの際、図６（ｃ）に示すように、払込票片１１０と明細書片１２０とを貼着していた擬似接着剤１０２は、明細書片１２０上のみに残存し、払込票片１１０上には残存しない。
【００５４】
また、配送物の配送先においては、配送物に含まれる商品の購入に伴う払い込みを行う必要がある。そのため、まず、図７（ａ）に示すように、明細書片１２０を払込票片１１０からミシン目１４０によって切り離す。
【００５５】
次に、図７（ｂ）に示すように、払込票片１１０を配送物に貼着されている貼着用シート１０２から剥離する。払込票片１１０は、擬似接着剤１０２及び剥離ニス１０４によって貼着用シート１０２に剥離可能に貼着されており、また、払込票片１１０と配送伝票片１３０とがスリット１４５を介して連接しているため、図７（ｃ），（ｅ）に示すように、払込票片１１０を配送物に貼着されている貼着用シート１０２から剥離し、払込票片１１０を配送伝票片１３０から分離することができる。この際、図７（ｄ）に示すように、払込票片１１０と貼着用シート１０３とを剥離可能に貼着していた擬似接着剤１０２及び剥離ニス１０４が、全て貼着用シート１０３側に残存することになる。
【００５６】
そして、配送物の配送先において、払込票片１１０を用いて払い込みが行われる。払込票片１１０を用いた払い込みにおいては、払込情報１１３によって示される金額が金融機関等に支払われると、払込取扱票１１１及び払込受領証１１２にそれぞれ設けられた押印領域１１６ａ，１１６ｂに受付印が押下され、払込取扱票１１１と払込受領証１１２とがミシン目１１５にて切り離され、払込受領証１１２が払込人に渡される。
【００５７】
払込受領証１１２から切り離された払込取扱票１１１においては、払い込みが行われた金融機関等にてＥＡＮ１２８コード１１４が機械読み取りされる。この際、図７（ｆ）に示すように、払込票片１１０と明細書片１２０とを貼着していた擬似接着剤１０２が、払込票片１１０上には残存していないため、ＥＡＮ１２８コード１１４といった高い読み取り精度が要求される機械読み取りコードでも、正確に読み取ることができる。また、払込票片１１０と貼着用シート１０３とを剥離可能に貼着していた擬似接着剤１０２及び剥離ニス１０４も払込票片１１０の印字用シート１０１上には残存していないため、払込票片１１０がＥＡＮ１２８コード１１４を機械読み取りするために機械読み取り機にかけられた際、ジャム等が発生することを回避することができる。
【００５８】
なお、本形態においては、払込票片１１０と明細書片１２０とを剥離可能に貼着する第１の接着構造として擬似接着剤１０２のみを用い、配送伝票片１３０及び払込票片１１０と貼着用シート１０３とを剥離可能に貼着する第２の接着構造として擬似接着剤１０２と剥離ニス１０４を用いたが、第１の接着構造と第２の接着構造はこれらいずれの構成としてもよい。また、配送伝票片１３０と貼着用シート１０３とを剥離可能に貼着する接着構造は、これらを剥離した場合に配送伝票片１３０と貼着用シート１０３の両方の貼着面に残存するものであってもよい。
【００５９】
また、本形態においては、明細書片１２０が、配送伝票片１３０及び払込票片１１０を含む印字用シート１０１に含まれているが、印字用シート１０１に含まれず、粘着力が強い粘着剤によってその端部が印字用シート１０１あるいは貼着用シート１０２に貼着されることにより払込票片１１０と連接した構成とすることも考えられる。ただし、その場合であっても、払込票片１１０に対して折り畳み及び切り離し可能な構成とする必要がある。
【００６０】
また、上述した２つの実施の形態においては、払込票片１０，１１０にＥＡＮ１２８コード１４，１１４が印字され、このＥＡＮ１２８コード１４，１１４が機械読み取りされるものを例に挙げて説明したが、本発明における機械読み取りコードはＥＡＮ１２８コードに限らず、高い読み取り精度が要求されるものであれば適用可能である。
【図面の簡単な説明】
【００６１】
【図１】本発明の隠蔽シートの第１の実施の形態となる隠蔽はがきの構成例を示す図であり、（ａ）は貼着面の構成を示す図、（ｂ）は貼着面とは反対側の面の構成を示す図、（ｃ）は（ａ）に示したＡ−Ａ’断面図である。
【図２】図１に示した払込票片と明細書片とが貼着された状態を示す図であり、（ａ）は明細書片側から見た図、（ｂ）は払込票片側から見た図、（ｃ）は（ａ）に示したＡ−Ａ’断面図である。
【図３】図１に示した隠蔽はがきが見開かれた状態を示す図であり、（ａ）は見開き面を示す図、（ｂ）は（ａ）に示したＡ−Ａ’断面図である。
【図４】本発明の隠蔽シートの第２の実施の形態となる隠蔽機能付き配送伝票の構成例を示す図であり、（ａ）は情報印字面の構成を示す図、（ｂ）は情報印字面とは反対側の面の構成を示す図、（ｃ）は（ａ）に示したＡ−Ａ’断面図である。
【図５】図４に示した払込票片と明細書片とが貼着されて配送物に貼着される状態を示す図であり、（ａ）は表面から見た図、（ｂ）は（ａ）に示したＡ−Ａ’断面図である。
【図６】図４に示した隠蔽機能付き配送伝票の使用方法を説明するための図であり、（ａ）は配送伝票片から配送票及び売上票が分離されていく状態を示す図、（ｂ）は払込票片と明細書片とが見開かれた状態を示す図、（ｃ）は（ｂ）に示したＡ−Ａ’断面図である。
【図７】図４に示した隠蔽機能付き配送伝票の使用方法を説明するための図であり、（ａ）は明細書片が切り離されていく状態を示す図、（ｂ）は払込票片が分離されていく状態を示す図、（ｃ）は払込票片が分離された状態を示す図、（ｄ）は（ｃ）に示したＡ−Ａ’断面図、（ｅ）は分離された払込票片を示す図、（ｆ）は（ｅ）に示したＢ−Ｂ’断面図である。
【符号の説明】
【００６２】
１    ベースシート
２，１０２    擬似接着剤
１０，１１０    払込票片
１１，１１１    払込取扱票
１２，１１２    受領証
１３，１１３    払込情報
１４，１１４    ＥＡＮ１２８コード
１５，４０，１１５，１４０    ミシン目
１６ａ，１６ｂ，１１６ａ，１１６ｂ，１３１ｂ    押印領域
２０，１２０    明細書片
２１，１２１    明細情報
２２    宛先情報
１０１    印字用シート
１０３    貼着用シート
１０４    剥離ニス
１０５    粘着剤
１０６    剥離紙
１２３    地紋印刷層
１３１    配送票
１３２    貼付票
１３３    明細票
１３４    売上票
１４５    スリット
【図１】
2008068431.tif 000003
【図２】
2008068431.tif 000004
【図３】
2008068431.tif 000005
【図４】
2008068431.tif 000006
【図５】
2008068431.tif 000007
【図６】
2008068431.tif 000008
【図７】
2008068431.tif 000009